(57)【要約】【課題】  アラーム発生時における迅速かつ適切な処理を可能とするアラーム表示装置およびアラーム表示方法を提供する。【解決手段】  発生したアラームの内容を表示するアラーム表示手段１０１と、アラームに関連付けられた案内を、アラーム表示手段１０１による表示から展開表示する案内表示手段１０２と、案内表示手段１０２において表示される案内の入力を受け付ける案内入力受付手段１０３と、を備える。このアラーム表示装置によれば、案内の入力を受け付け、入力が受け付けられた案内を表示するので、ユーザが案内を自由に入力することが可能となり、アラーム発生時にこの案内を参照することができる。このため、アラーム発生時に、迅速かつ適切な処置を施すことが可能となる。案内の入力方法は限定されず、文字入力、画像の貼り付け、電子データへのリンク等の手段により案内を入力してもよい。【選択図】                    図２
2006185292.tif 000002
【特許請求の範囲】
【請求項１】
プロセスで発生するアラームを表示するアラーム表示装置において、
発生したアラームの内容を表示するアラーム表示手段と、
アラームに関連付けられた案内を、前記アラーム表示手段による表示から展開表示する案内表示手段と、
前記案内表示手段において表示される前記案内の入力を受け付ける案内入力受付手段と、
を備えることを特徴とするアラーム表示装置。
【請求項２】
前記アラーム表示手段は発生したアラームについてその内容を一覧表示することを特徴とする請求項１に記載のアラーム表示装置。
【請求項３】
一覧表示されたアラームから特定のアラームを選択する操作を受け付けるアラーム選択操作受付手段を備え、
前記案内表示手段は、前記アラーム選択操作受付手段により受け付けられた、当該特定のアラームに関連付けられた案内を展開表示することを特徴とする請求項２に記載のアラーム表示装置。
【請求項４】
前記アラーム選択操作受付手段により受け付けられたアラームに関連付けられた案内が前記案内入力受付手段により入力されているか否かを判断する判断手段を備え、
前記判断が肯定される場合に限り、前記案内表示手段は当該案内を展開表示することを特徴とする請求項３に記載のアラーム表示装置。
【請求項５】
プロセスで発生するアラームを表示するアラーム表示方法において、
発生したアラームの内容を表示するステップと、
アラームに関連付けられた案内を、前記アラームの内容を表示するステップによる表示から展開表示するステップと、
前記展開表示するステップにおいて表示される前記案内の入力を受け付けるステップと、
を備えることを特徴とするアラーム表示方法。
【請求項６】
前記アラームの内容を表示するステップでは、発生したアラームについてその内容を一覧表示することを特徴とする請求項５に記載のアラーム表示方法。
【請求項７】
一覧表示されたアラームから特定のアラームを選択する操作を受け付けるステップを備え、
前記案内を表示するステップでは、前記アラームを選択する操作を受け付けるステップにより受け付けられた、当該特定のアラームに関連付けられた案内を展開表示することを特徴とする請求項６に記載のアラーム表示方法。
【請求項８】
前記アラーム選択操作受付手段により受け付けられたアラームに関連付けられた案内が前記案内入力受付手段により入力されているか否かを判断するステップを備え、
前記判断が肯定される場合に限り、前記案内を表示するステップにおいて当該案内を展開表示することを特徴とする請求項７に記載のアラーム表示方法。
【請求項９】
プロセスで発生するアラームを表示するアラーム表示装置において、
アラーム発生時の処置を支援するための案内の、ユーザによる入力を受け付ける案内入力受付手段と、
前記案内を、対応するアラームに関連付けて表示する案内表示手段と、
を備えることを特徴とするアラーム表示装置。
【請求項１０】
プロセスで発生するアラームを表示するアラーム表示方法において、
アラーム発生時の処置を支援するための案内の、ユーザによる入力を受け付けるステップと、
前記案内を、対応するアラームに関連付けて表示するステップと、
を備えることを特徴とするアラーム表示方法。
【発明の詳細な説明】
【技術分野】
【０００１】
本発明は、プロセスで発生するアラームを表示するアラーム表示装置およびアラーム表示方法に関するものである。
【背景技術】
【０００２】
制御対象プロセスで発生する各種アラームを監視し、表示するアラーム表示装置の構成を示したものとして、例えば特許文献１に記載されたものがあった。
【特許文献１】特開２００３−１８６５３６号公報
【発明の開示】
【発明が解決しようとする課題】
【０００３】
プラントを安全に運転するように監視する安全システムがプラントの異常を検出した場合、オペレータはアラーム表示装置のアラームの内容を確認し、アラームの内容に応じた適切な処置を施す必要がある。しかし、安全システムではプラントの安全に関わる比較的重大な異常のみを取り扱うため、アラーム発生の頻度は低い。またアラームの種類も多いため、オペレータがアラームに対する処置の手順を予め記憶しておくことは困難である。さらに、通常は安全システム専任のオペレータを配置せず、プラント制御システムのオペレータが安全システムに対する操作を兼任することが多い。したがって安全システムのアラームが発生した際には、オペレータはマニュアル等を調べて不慣れな操作を行うという作業を強いられることになる。しかし、安全システムのアラームが発生するのは緊急時であり、このような緊急時にアラームに対する冷静な処置が求められることは、オペレータにとって心理的にも多大な負担となる。
【０００４】
オペレータの負担を少しでも低減するため、従来のアラーム表示装置では個々のアラームの内容等を示すヘルプ機能を備えている。しかし、ヘルプ機能で提供される情報はアラーム表示装置の提供者側で用意されるものであり、個々のアラームに対応した抽象的なものとならざるを得ない。つまり、ヘルプ機能で提供される情報には、ユーザのプラントの事情を反映した具体的な内容を含ませることができない。ところが、安全システムが適用されるプラントは、使用されるフィールド機器や製造ラインの構成等、ユーザに応じて極めて多様な態様をとる。また、アラームを発生させる条件等、安全システムの使用方法もユーザによって様々である。したがって、アラームが発生した場合に要求される対処方法もユーザに応じて大きく異なっており、従来のヘルプ機能で提供される情報を頼りとして実際のプラントにおいて発生するアラームに対処することは、事実上、きわめて困難であるという事情がある。
【０００５】
本発明の目的は、アラーム発生時における迅速かつ適切な処理を可能とするアラーム表示装置およびアラーム表示方法を提供することにある。
【課題を解決するための手段】
【０００６】
本発明のアラーム表示装置は、プロセスで発生するアラームを表示するアラーム表示装置において、発生したアラームの内容を表示するアラーム表示手段と、アラームに関連付けられた案内を、前記アラーム表示手段による表示から展開表示する案内表示手段と、前記案内表示手段において表示される前記案内の入力を受け付ける案内入力受付手段と、を備えることを特徴とする。
このアラーム表示装置によれば、案内の入力を受け付け、入力が受け付けられた案内を表示するので、ユーザが案内を自由に入力することが可能となり、アラーム発生時にこの案内を参照することができる。このため、アラーム発生時に、迅速かつ適切な処置を施すことが可能となる。案内の入力方法は限定されず、文字入力、画像の貼り付け、電子データへのリンク等の手段により案内を入力してもよい。また、案内を展開表示するに際し、アラームの内容の表示から単一の操作で展開表示してもよいし、複数の操作により展開表示してもよい。複数回の展開の後、案内が表示されるようにしてもよい。
【０００７】
前記アラーム表示手段は発生したアラームについてその内容を一覧表示してもよい。
【０００８】
一覧表示されたアラームから特定のアラームを選択する操作を受け付けるアラーム選択操作受付手段を備え、前記案内表示手段は、前記アラーム選択操作受付手段により受け付けられた、当該特定のアラームに関連付けられた案内を展開表示してもよい。
この場合には、必要なアラームについてのみ案内を表示させることができる。
【０００９】
前記アラーム選択操作受付手段により受け付けられたアラームに関連付けられた案内が前記案内入力受付手段により入力されているか否かを判断する判断手段を備え、前記判断が肯定される場合に限り、前記案内表示手段は当該案内を展開表示してもよい。
【００１０】
本発明のアラーム表示方法は、プロセスで発生するアラームを表示するアラーム表示方法において、発生したアラームの内容を表示するステップと、アラームに関連付けられた案内を、前記アラームの内容を表示するステップによる表示から展開表示するステップと、前記展開表示するステップにおいて表示される前記案内の入力を受け付けるステップと、を備えることを特徴とする。
このアラーム表示方法によれば、案内の入力を受け付け、入力が受け付けられた案内を表示するので、ユーザが案内を自由に入力することが可能となり、アラーム発生時にこの案内を参照することができる。このため、アラーム発生時に、迅速かつ適切な処置を施すことが可能となる。案内の入力方法は限定されず、文字入力、画像の貼り付け、電子データへのリンク等の手段により案内を入力してもよい。また、案内を展開表示するに際し、アラームの内容の表示から単一の操作で展開表示してもよいし、複数の操作により展開表示してもよい。複数回の展開の後、案内が表示されるようにしてもよい。
【００１１】
前記アラームの内容を表示するステップでは、発生したアラームについてその内容を一覧表示してもよい。
【００１２】
一覧表示されたアラームから特定のアラームを選択する操作を受け付けるステップを備え、前記案内を表示するステップでは、前記アラームを選択する操作を受け付けるステップにより受け付けられた、当該特定のアラームに関連付けられた案内を展開表示してもよい。
この場合には、必要なアラームについてのみ案内を表示させることができる。
【００１３】
前記アラーム選択操作受付手段により受け付けられたアラームに関連付けられた案内が前記案内入力受付手段により入力されているか否かを判断するステップを備え、前記判断が肯定される場合に限り、前記案内を表示するステップにおいて当該案内を展開表示してもよい。
【００１４】
本発明のアラーム表示装置は、プロセスで発生するアラームを表示するアラーム表示装置において、アラーム発生時の処置を支援するための案内の、ユーザによる入力を受け付ける案内入力受付手段と、前記案内を、対応するアラームに関連付けて表示する案内表示手段と、を備えることを特徴とする。
このアラーム表示装置によれば、アラーム発生時の処置を支援するための案内の、ユーザによる入力を受け付け、入力が受け付けられた案内を対応するアラームに関連付けて表示するので、ユーザが案内を自由に入力することが可能となり、アラーム発生時にこの案内を参照することができる。このため、アラーム発生時に、迅速かつ適切な処置を施すことが可能となる。案内の入力方法は限定されず、文字入力、画像の貼り付け、電子データへのリンク等の手段により案内を入力してもよい。
【００１５】
本発明のアラーム表示方法は、プロセスで発生するアラームを表示するアラーム表示方法において、アラーム発生時の処置を支援するための案内の、ユーザによる入力を受け付けるステップと、前記案内を、対応するアラームに関連付けて表示するステップと、を備えることを特徴とする。
このアラーム表示方法によれば、アラーム発生時の処置を支援するための案内の、ユーザによる入力を受け付け、入力が受け付けられた案内を対応するアラームに関連付けて表示するので、ユーザが案内を自由に入力することが可能となり、アラーム発生時にこの案内を参照することができる。このため、アラーム発生時に、迅速かつ適切な処置を施すことが可能となる。案内の入力方法は限定されず、文字入力、画像の貼り付け、電子データへのリンク等の手段により案内を入力してもよい。
【発明の効果】
【００１６】
本発明によれば、案内の入力を受け付け、入力が受け付けられた案内を表示するので、ユーザが案内を自由に入力することが可能となり、アラーム発生時にこの案内を参照することができる。このため、アラーム発生時に、迅速かつ適切な処置を施すことが可能となる。
【発明を実施するための最良の形態】
【００１７】
以下、図１〜図７を参照して、本発明によるアラーム表示装置の一実施形態について説明する。
【００１８】
図１は本実施形態のアラーム表示装置が適用されるプラント制御システムの構成を示すブロック図である。
【００１９】
図１に示すように、プラント制御システムは、フィールド機器１が配置されたプラントの規模に応じてプラント内に適宜分散配置されるフィールドコントローラ２と、フィールドコントローラ２を介してフィールド機器１を統合的に制御する操作監視装置３と、を備える。フィールドコントローラ２および操作監視装置３は、通信バス５を介して互いに接続され、プラント内のプロセス制御が自動的に実行される。また、プロセス制御の状況は操作監視装置３を介して監視でき、また、必要があれば操作監視装置３に対する操作により、フィールド機器１を手動で制御できる。
【００２０】
図１に示すように、通信バス５にはプラント内の異常を検出し、これを通知するためのアラームを発生させる安全保障コントローラ６が接続されている。安全保障コントローラ６は通信バス５を介して操作監視装置３と接続され、安全保障コントローラ６および操作監視装置３は、互いに通信バス５を介して必要な通信を実行する。操作監視装置３は、安全保障コントローラ６により発生されるアラームを監視する機能とともに、安全保障コントローラ６にアクセスする端末装置としての機能を有する。安全システムは、安全保障コントローラ６、操作監視装置３および通信バス５を用いて構成され、本実施形態のアラーム表示装置は、操作監視装置３の機能として構成される。
【００２１】
安全保障コントローラ６は、異常検出時にアラームを発生させる他、安全を確保するために必要な処理を実行する。図１に示すように、例えば、安全保障コントローラ６にはフィールド機器１の異常を検出するためのセンサ７１およびこのフィールド機器１をシャットダウンさせるためのバルブ７２が接続される。この場合、安全保障コントローラ６がセンサ７１を介してフィールド機器１の異常を検出すると、バルブ７２を閉じることでこのフィールド機器１をシャットダウンさせ、プラントの安全を確保する。
【００２２】
なお、図１に示すセンサ７１、バルブ７２等のように、安全システムの専用機器をプラント制御用の機器と独立して設けてもよいし、プラント制御用のセンサやバルブを安全システムの機器として兼用してもよい。
【００２３】
また、図１に示す構成では、安全システムがプラント制御システムと相互に接続された例を示しているが、安全システムを、プラント制御システムと独立して設けてもよい。この場合、安全システム専用の端末装置を設ければよい。
【００２４】
図２は本実施形態のアラーム表示装置の構成を機能的に示すブロック図である。
【００２５】
図２において、アラーム表示手段１０１は、発生したアラームの内容を表示する。案内表示手段１０２は、アラームに関連付けられた案内を、アラーム表示手段１０１による表示から展開表示する。案内入力受付手段１０３は、案内表示手段１０２において表示される案内の入力を受け付ける。
【００２６】
アラーム表示手段１０１は発生したアラームについてその内容を一覧表示する。また、アラーム選択操作受付手段１０４は、一覧表示されたアラームから特定のアラームを選択する操作を受け付け、案内表示手段１０２は、アラーム選択操作受付手段１０４により受け付けられた、当該特定のアラームに関連付けられた案内を展開表示する。
【００２７】
判断手段１０５は、アラーム選択操作受付手段１０４により受け付けられたアラームに関連付けられた案内が案内入力受付手段１０３により入力されているか否かを判断する。そして、その判断が肯定される場合に限り、案内表示手段１０２は当該案内を展開表示する。
【００２８】
また、案内入力受付手段１０３は、アラーム発生時の処置を支援するための案内の、ユーザによる入力を受け付ける。この場合、案内表示手段１０２は、案内を、対応するアラームに関連付けて表示する。
【００２９】
上記アラーム表示手段１０１、案内表示手段１０２、案内入力受付手段１０３、アラーム選択操作受付手段１０４、および判断手段１０５は、操作監視装置３の機能として構成される。
【００３０】
図３は本実施形態のアラーム表示装置の動作手順を示すフローチャートである。
【００３１】
図３のステップＳ１では、アラーム表示装置のモニタ画面にアラームウィンドウを表示する。アラームウィンドウはオペレータの指示に応じて表示されてもよいし、あるいはアラームウィンドウを常に表示しつつ、新たなアラームの発生に応じて表示を更新してもよい。
【００３２】
図４はアラームウィンドウの表示例を示している。図４に示す例では、発生したアラームの内容等を示すメッセージが発生時刻順に一覧表示されている。個々のアラームのメッセージにはメッセージ番号８１が付され、それぞれのアラームとメッセージ番号８１とが対応付けられている。各メッセージには、それぞれのアラームの発生時刻およびアラームの内容が含まれる。各アラームはそのメッセージの表示領域（例えば、表示領域８２）をクリックすることで選択される。図４はメッセージ番号「００８７」で示すアラームが選択された状態を示している。なお、ステップＳ１の処理は、アラーム表示手段１０１（図２）の機能に対応する。
【００３３】
次に、ステップＳ２では特定のアラームが選択されたか否か、すなわち特定のアラームを示すメッセージの表示領域がクリックされたか否かを判断し、判断が肯定されるのを待ってステップＳ３へ進む。ステップＳ３では、ステップＳ２で選択された特定のアラームについてヘルプダイアログの表示が要求されているか否か判断し、判断が肯定されればステップＳ４へ進む。
【００３４】
ステップＳ３では、すでに特定のアラームが選択された状態でヘルプボタン８３（図４）がクリックされた場合に判断が肯定される。また、特定のアラームを示すメッセージの表示領域がダブルクリックされた場合には、ステップＳ２およびステップＳ３の判断が肯定される。この場合にはダブルクリックされた表示領域のアラームが選択されたものとして取り扱われる。なお、ステップＳ２およびステップＳ３の処理は、アラーム選択操作受付手段１０４（図２）の機能に対応する。
【００３５】
次に、ステップＳ４では、アラーム表示装置のモニタ画面に、選択されているアラームについてヘルプダイアログを表示する。
【００３６】
図５はヘルプダイアログの表示例を示している。図５に示すように、ヘルプダイアログの領域８５には、選択されたアラームに対応するメッセージ番号が表示される。また、領域８６には、選択されたアラームのメッセージの意味やアラーム発生の要因が表示される。ヘルプダイアログで表示される情報は選択されたアラームに対応する一般的な情報であり、各アラームのメッセージ（図４）に対応して予め用意されたものである。これらの情報は安全保障システムの提供側で作成されたものであり、したがって、安全システムのユーザ側の事情が反映されたものではない。
【００３７】
なお、ヘルプダイアログの領域８５に特定のメッセージ番号を入力し、表示ボタンをクリックすることで、そのメッセージ番号に対応付けられたアラームについてのヘルプを表示させることもできる。
【００３８】
次に、図３のステップＳ５では、記憶部１０６（図２）にアクセスし、選択されたアラームに関するユーザ定義アクションガイドが格納されているか否か判断する。この判断が肯定されればステップＳ６へ進み、否定されればステップＳ７へ進む。なお、ステップＳ５の処理は、判断手段１０５（図２）の機能に対応する。
【００３９】
ユーザ定義アクションガイドは、アラームが発生した際の処置を支援するための案内情報であり、ユーザによって入力（定義）され、記憶部１０６に格納される。ユーザ定義アクションガイドの入力方法についてはさらに後述する。
【００４０】
次に、ステップＳ６では、図５に示すヘルプダイアログのガイドボタン８７を有効（使用可能な状態）とし、ステップＳ８へ進む。一方、ステップＳ７ではガイドボタン８７を無効（使用不可能な状態）として、ステップＳ１０へスキップする。
【００４１】
ステップＳ８では、ガイドボタン８７がクリックされるのを待って、ステップＳ９へ進む。ステップＳ９では、選択されたアラーム（メッセージ番号）と関連付けられて格納されたユーザ定義アクションガイドを記憶部１０６から読み込み、アラーム表示装置のモニタ画面に表示する。ステップＳ９の処理は、案内表示手段１０２（図２）の機能に対応する。
【００４２】
図６はユーザ定義アクションガイドの表示例を示している。ユーザ定義アクションガイドはユーザが自由に記述できる。例えば、ヘルプダイアログに表示される情報に取り込むことが不可能な、ユーザ固有の情報や、オペレータ間で共有すべきノウハウ、アラーム対処に関する注意事項を記述できる。また、図６に示すように、絵や画像を貼り付けることもできるため、対処方法を分かりやすく記述できる。ユーザ定義アクションガイドの入力方法としては任意の方法を用いることができるが、例えば、html形式を採用することができる。html形式を採用する場合には、特別なツールを必要とせず、ユーザ定義アクションガイドを手軽に作成でき、絵や画像の貼り付けにも対応できる。
【００４３】
入力されたユーザ定義アクションガイドは、アラーム（メッセージ番号）と関連付けられて記憶部１０６に格納される。ユーザ定義アクションガイドの入力を受け付け、記憶部１０６に格納する一連の処理は、案内入力受付手段１０３（図２）の機能に対応する。
【００４４】
図７はhtml形式でユーザ定義アクションガイドを作成する場合の記述例を示している。ユーザ定義アクションガイドはメッセージ番号に対応して作成されるため、メッセージ番号を用いて名前が付けられる。これにより、所定のユーザ定義アクションガイドが、対応するヘルプダイアログのガイドボタン８７（図５）の操作により展開表示されることになる。図７の例では、<a name=  7  #62;と記述することで、ユーザ定義アクションガイドがメッセージ番号「８７」に対応付けられる。このため、メッセージ番号「８７」に対応付けられたアラームのヘルプダイアログのガイドボタン８８（図５）をクリックすると、メッセージ番号「８７」に対応付けられたユーザ定義アクションガイド（図６）が表示される。
【００４５】
図７に示すように、ユーザ定義アクションガイドの記述にhtml形式を用いることで、ユーザが表現したい内容を自由に表現できる。例えば、デジタルカメラで撮影した実際の機器の画像を貼り付けることもでき、また、注意すべきポイント、緊急時の連絡先、オペレータのノウハウ等、通常、マニュアルや様々なドキュメントに分散して記載される内容を、１箇所に纏めて記述することができる。したがって、オペレータは発生したアラームに対応したユーザ定義アクションガイドを参照するのみで、アラームに対する処置に必要なすべての情報を容易に取得できる。
【００４６】
次に、図３のステップＳ１０では、ユーザ定義アクションガイドの表示の終了あるいは、ヘルプダイアログの表示の終了を指示する操作がされたか否か判断し、判断が肯定されるのを待って対応する表示を終了し、ステップＳ１へ戻る。
【００４７】
以上のように、本実施形態のアラーム表示装置によれば、ユーザ定義アクションガイドをユーザが自由に作成、入力でき、アラームに対する処置に際して簡単な操作でこれを参照することができる。ユーザ定義アクションガイドには、アラームに対する処置に必要な情報をすべて纏めて記述することができるうえ、実際の映像等を用いた分かりやすい表示が得られる。このため、めったに発生しないアラームに対しても、オペレータは落ち着いて対処することができる。また、マニュアルの該当箇所を探す手間なども省け、迅速に対処方法を知ることができる。このため、ユーザミスを減少させるだけでなく、オペレータに対する作業負担および心理的負担を大幅に低減できる。さらに、オペレータ間のノウハウ等をユーザ定義アクションガイドとして蓄積することができるため、従来口頭で伝えていた作業時の注意点などの重要な情報を的確に蓄積し、アラームに対処する際に有効に利用できる。このように、本実施形態のアラーム表示装置では、オペレータに対する有効な支援機能を提供でき、例えば経験の浅いオペレータでも迅速、適切にアラームに対処可能となる。
【００４８】
上記実施形態では、ユーザ定義アクションガイドの入力に際して、文字入力や画像の貼り付けを用いる例を示している。しかし、既に電子マニュアル等の電子データが作成されている場合には、このような電子データを記憶部１０６に格納し、ユーザ定義アクションガイドからリンクを張るなどして、電子マニュアル等を表示させることができる。この場合、複数種類のアラームに対して、同一のリンク先を設定することもできる。また、１つのアラームに対して複数のリンク先を設定することもできる。
【００４９】
また、上記実施形態では、html形式を用いる例を示したが、htmlファイルに限らず、wordやpdfファイル等のファイルを表示可能とすれば、各種形式に従う既存の電子マニュアル等が手を加えることなく使用でき、便利である。
【００５０】
本発明の適用範囲は上記実施形態に限定されることはない。本発明はプラントの異常を知らせるアラームに対処する場合に対し、広く適用できる。
【図面の簡単な説明】
【００５１】
【図１】本実施形態のアラーム表示装置が適用されるプラント制御システムの構成を示すブロック図。
【図２】本実施形態のアラーム表示装置の構成を機能的に示すブロック図。
【図３】本実施形態のアラーム表示装置の動作手順を示すフローチャート。
【図４】アラームウィンドウの表示例を示す図。
【図５】ヘルプダイアログの表示例を示す図。
【図６】ユーザ定義アクションガイドの表示例を示す図。
【図７】html形式でユーザ定義アクションガイドを作成する場合の記述例を示す図。
【符号の説明】
【００５２】
１０１  アラーム表示手段
１０２  案内表示手段
１０３  案内入力受付手段
１０４  アラーム選択操作受付手段
１０５  判断手段
【図１】
2006185292.tif 000003
【図２】
2006185292.tif 000004
【図３】
2006185292.tif 000005
【図７】
2006185292.tif 000006
【図４】
2006185292.tif 000007
【図５】
2006185292.tif 000008
【図６】
2006185292.tif 000009